(57)【特許請求の範囲】
【請求項１】
分析用ＶＴＲシステムを含むビデオカメラ取材システムであって、
撮影対象の映像情報及び音声情報を取り込むビデオカメラ部と、
前記ビデオカメラ部によって取り込まれた映像情報及び音声情報を記録媒体に記録すると共に、前記記録媒体に記録された映像情報及び音声情報を再生するデータ記録再生部と、
前記データ記録再生部で記録される映像情報及び音声情報を特定する分析用補助データを記憶する補助データメモリ部と、
前記データ記録再生部が映像情報及び音声情報を前記記録媒体に記録するときに前記分析用補助データを前記補助データメモリ部に書き込むメモリ制御部と、を具備し、
前記データ記録再生部は、
前記記録媒体に記録される映像情報及び音声情報に同期して、タイムコードを発生するタイムコード発生手段と、
前記ビデオカメラ部の操作者が意図した特定のシーンに対してマーキングを行う少なくとも１つのスイッチ手段とを有するものであり、
前記分析用ＶＴＲシステムは、
前記記録媒体に記録された映像情報及び音声情報を再生する再生ＶＴＲと、
前記補助データメモリ部に記録された分析用補助データを読み取り、前記分析用補助データの一覧表を表示し、前記一覧表で選択された特定時間帯の映像情報及び音声情報を再生するため、前記再生ＶＴＲに対してスキップと通常再生を指示し、前記分析用補助データで示される時刻より所定時間前より通常再生を開始するシステム制御手段と、を具備し、
前記収録された記録媒体から、不必要な映像情報及び音声情報をスキップし、特定時間帯の映像情報及び音声情報を再生することを特徴とするビデオカメラ取材システム。
【請求項２】
前記補助データメモリ部は、
着脱可能なＩＣメモリカードであることを特徴とする請求項１記載のビデオカメラ取材システム。
【請求項３】
前記メモリ制御部は、
前記スイッチ手段によって指示された映像情報を静止画として取り込むビデオキャプチャ手段と、
前記タイムコード発生手段から出力されるタイムコードを取り込むタイムコードキャプチャ手段と、
前記ビデオキャプチャ手段で取り込まれた静止画と前記タイムコードキャプチャ手段から出力されたタイムコードとを分析用補助データとして前記補助データメモリ部への書き込みを指示する補助データメモリ制御手段と、を有することを特徴とする請求項１記載のビデオカメラ取材システム。
【請求項４】
分析用ＶＴＲシステムを含むビデオカメラ取材システムであって、
撮影対象の映像情報及び音声情報を取り込むビデオカメラ部と、
前記ビデオカメラ部によって取り込まれた映像情報及び音声情報を記録媒体に記録すると共に、前記記録媒体の特定位置に分析用補助データを記録し、前記記録媒体に記録された前記映像情報及び音声情報を再生するデータ記録再生部と、
前記データ記録再生部で記録される映像情報及び音声情報を特定する分析用補助データを一時記憶する領域を有する補助データメモリ部と、
前記データ記録再生部が映像情報及び音声情報を前記記録媒体に記録するときに前記分析用補助データの前記補助データメモリ部への書き込みを指示し、前記記録媒体が前記データ記録再生部から取り外される前に、前記補助データメモリ部に保持された前記分析用補助データの前記記録媒体の特定位置への書き込みを指示するメモリ制御部と、を具備し、
前記データ記録再生部は、
前記記録媒体に記録される前記映像情報及び音声情報に同期して、タイムコードを発生するタイムコード発生手段と、
前記ビデオカメラ部の操作者が意図した特定のシーンに対してマーキングを行う少なくとも１つのスイッチ手段とを有するものであり、
前記分析用ＶＴＲシステムは、
前記記録媒体に記録された映像情報及び音声情報並びに分析用補助データを再生する再生ＶＴＲと、
前記記録媒体の特定位置に記録された分析用補助データを前記再生ＶＴＲにより取得し、前記分析用補助データの一覧表を表示し、前記一覧表で選択された特定時間帯の映像情報及び音声情報を再生するため、前記再生ＶＴＲに対してスキップと通常再生を指示し、前記分析用補助データで示される時刻より所定時間前より通常再生を開始するシステム制御手段と、を具備し、
前記収録された記録媒体から、不必要な映像情報及び音声情報をスキップし、特定時間帯の映像情報及び音声情報を再生することを特徴とするビデオカメラ取材システム。
【請求項５】
前記メモリ制御部は、
前記スイッチ手段によって指示された映像情報を静止画として取り込むビデオキャプチャ手段と、
前記タイムコード発生手段から出力されるタイムコードを取り込むタイムコードキャプチャ手段と、
前記ビデオキャプチャ手段で取り込まれた静止画と前記タイムコードキャプチャ手段から出力されたタイムコードとを分析用補助データとして前記補助データメモリ部への書き込みを指示すると共に、前記記録媒体が前記データ記録再生部から取り外される前に、前記補助データメモリ部に保持された前記分析用補助データを前記記録媒体の特定位置への書き込みを指示する補助データメモリ制御手段と、を有することを特徴とする請求項４記載のビデオカメラ取材システム。
【請求項６】
前記分析用補助データは、
前記記録媒体のサブコードエリアに記録されることを特徴とする請求項４記載のビデオカメラ取材システム。
【請求項７】
前記補助データメモリ部に記録される分析用補助データは、
前記スイッチ手段から出力されたマーキング情報と、
前記マーキング情報に同期して取り込まれた静止画情報と、
前記静止画情報に対応するタイムコードと、を含むものであることを特徴とする請求項１，３，４，５のいずれか１項記載のビデオカメラ取材システム。
【請求項８】
前記データ記録再生部に記録される映像情報は、
ビデオ圧縮されたものであることを特徴とする請求項１又は４記載のビデオカメラ取材システム。
【請求項９】
前記システム制御手段は、
前記再生ＶＴＲに前記記録媒体が装填されたとき、最初に分析用補助データの記録位置の探索を指示し、次に探索された前記分析用補助データの一覧表の表示を行うことを特徴とする請求項４記載のビデオカメラ取材システム。
【発明の詳細な説明】
【０００１】
【発明の属する技術分野】
本発明は、撮影時に分析用補助データを挿入できるようにしたビデオカメラ取材システムと、分析用補助データを用いて所望のシーンを選択的に出力できるようにした取材分析用ＶＴＲシステムに関するものである。
【０００２】
【従来の技術】
カメラ一体型ＶＴＲ（ビデオカメラ）で撮影した取材済テープを基にスポーツ分析を行う場合、例えばバスケットボールの試合の戦術分析を行う場合、撮影済のビデオテープを一旦再生して、重要と思われる点を見つけ、その位置（テープの位置）をノートにメモし、そのメモの内容を基にシーンの分析を行う方法をとっていた。
【０００３】
【発明が解決しようとする課題】
ところが従来のビデオカメラやその再生システムでは、一度に最初から最後までビデオテープを再生して、どこが重要なシーンかを逐一見つけなければならなかった。このため分析の前準備に多くの時間がかかるという問題点を有していた。
【０００４】
本発明は、このような従来の問題点に鑑みてなされたものであって、取材済のビデオテープの内容分析のとき、最初から最後まで一度にビデオテープを再生しなくても、必要な場面（シーン）の位置がすぐに見つかり、容易かつ迅速にビデオテープ内容の分析作業が行えるようにしたビデオカメラ取材システム、及び分析用ＶＴＲシステムを実現することを目的とするものである。
【０００５】
【課題を解決するための手段】
上記の課題を解決するため、本願の請求項１記載の発明は、分析用ＶＴＲシステムを含むビデオカメラ取材システムであって、撮影対象の映像情報及び音声情報を取り込むビデオカメラ部と、前記ビデオカメラ部によって取り込まれた映像情報及び音声情報を記録媒体に記録すると共に、前記記録媒体に記録された映像情報及び音声情報を再生するデータ記録再生部と、前記データ記録再生部で記録される映像情報及び音声情報を特定する分析用補助データを記憶する補助データメモリ部と、前記データ記録再生部が映像情報及び音声情報を前記記録媒体に記録するときに前記分析用補助データを前記補助データメモリ部に書き込むメモリ制御部と、を具備し、前記データ記録再生部は、前記記録媒体に記録される映像情報及び音声情報に同期して、タイムコードを発生するタイムコード発生手段と、前記ビデオカメラ部の操作者が意図した特定のシーンに対してマーキングを行う少なくとも１つのスイッチ手段とを有するものであり、前記分析用ＶＴＲシステムは、前記記録媒体に記録された映像情報及び音声情報を再生する再生ＶＴＲと、前記補助データメモリ部に記録された分析用補助データを読み取り、前記分析用補助データの一覧表を表示し、前記一覧表で選択された特定時間帯の映像情報及び音声情報を再生するため、前記再生ＶＴＲに対してスキップと通常再生を指示し、前記分析用補助データで示される時刻より所定時間前より通常再生を開始するシステム制御手段と、を具備し、前記収録された記録媒体から、不必要な映像情報及び音声情報をスキップし、特定時間帯の映像情報及び音声情報を再生することを特徴とするものである。
【０００６】
本願の請求項２記載の発明は、請求項１のビデオカメラ取材システムにおいて、前記補助データメモリ部は、着脱可能なＩＣメモリカードであることを特徴とするものである。
【０００８】
本願の請求項３記載の発明は、請求項１のビデオカメラ取材システムにおいて、前記メモリ制御部は、前記スイッチ手段によって指示された映像情報を静止画として取り込むビデオキャプチャ手段と、前記タイムコード発生手段から出力されるタイムコードを取り込むタイムコードキャプチャ手段と、前記ビデオキャプチャ手段で取り込まれた静止画と前記タイムコードキャプチャ手段から出力されたタイムコードとを分析用補助データとして前記補助データメモリ部への書き込みを指示する補助データメモリ制御手段と、を有することを特徴とするものである。
【０００９】
本願の請求項４記載の発明は、分析用ＶＴＲシステムを含むビデオカメラ取材システムであって、撮影対象の映像情報及び音声情報を取り込むビデオカメラ部と、前記ビデオカメラ部によって取り込まれた映像情報及び音声情報を記録媒体に記録すると共に、前記記録媒体の特定位置に分析用補助データを記録し、前記記録媒体に記録された前記映像情報及び音声情報を再生するデータ記録再生部と、前記データ記録再生部で記録される映像情報及び音声情報を特定する分析用補助データを一時記憶する領域を有する補助データメモリ部と、前記データ記録再生部が映像情報及び音声情報を前記記録媒体に記録するときに前記分析用補助データの前記補助データメモリ部への書き込みを指示し、前記記録媒体が前記データ記録再生部から取り外される前に、前記補助データメモリ部に保持された前記分析用補助データの前記記録媒体の特定位置への書き込みを指示するメモリ制御部と、を具備し、前記データ記録再生部は、前記記録媒体に記録される前記映像情報及び音声情報に同期して、タイムコードを発生するタイムコード発生手段と、前記ビデオカメラ部の操作者が意図した特定のシーンに対してマーキングを行う少なくとも１つのスイッチ手段とを有するものであり、前記分析用ＶＴＲシステムは、前記記録媒体に記録された映像情報及び音声情報並びに分析用補助データを再生する再生ＶＴＲと、前記記録媒体の特定位置に記録された分析用補助データを前記再生ＶＴＲにより取得し、前記分析用補助データの一覧表を表示し、前記一覧表で選択された特定時間帯の映像情報及び音声情報を再生するため、前記再生ＶＴＲに対してスキップと通常再生を指示し、前記分析用補助データで示される時刻より所定時間前より通常再生を開始するシステム制御手段と、を具備し、前記収録された記録媒体から、不必要な映像情報及び音声情報をスキップし、特定時間帯の映像情報及び音声情報を再生することを特徴とするものである。
【００１１】
本願の請求項５記載の発明は、請求項４のビデオカメラ取材システムにおいて、前記メモリ制御部は、前記スイッチ手段によって指示された映像情報を静止画として取り込むビデオキャプチャ手段と、前記タイムコード発生手段から出力されるタイムコードを取り込むタイムコードキャプチャ手段と、前記ビデオキャプチャ手段で取り込まれた静止画と前記タイムコードキャプチャ手段から出力されたタイムコードとを分析用補助データとして前記補助データメモリ部への書き込みを指示すると共に、前記記録媒体が前記データ記録再生部から取り外される前に、前記補助データメモリ部に保持された前記分析用補助データを前記記録媒体の特定位置への書き込みを指示する補助データメモリ制御手段と、を有することを特徴とするものである。
【００１２】
本願の請求項６記載の発明は、請求項４のビデオカメラ取材システムにおいて、前記分析用補助データは、前記記録媒体のサブコードエリアに記録されることを特徴とするものである。
【００１３】
本願の請求項７記載の発明は、請求項１，３，４，５のいずれか１項のビデオカメラ取材システムにおいて、前記補助データメモリ部に記録される分析用補助データは、前記スイッチ手段から出力されたマーキング情報と、前記マーキング情報に同期して取り込まれた静止画情報と、前記静止画情報に対応するタイムコードと、を含むことを特徴とするものである。
【００１４】
本願の請求項８記載の発明は、請求項１又は４のビデオカメラ取材システムにおいて、前記データ記録再生部に記録される映像情報は、ビデオ圧縮されたことを特徴とするものである。
【００１７】
本願の請求項９記載の発明は、請求項４のビデオカメラ取材システムにおいて、前記システム制御手段は、前記再生ＶＴＲに前記記録媒体が装填されたとき、最初に分析用補助データの記録位置の探索を指示し、次に探索された前記分析用補助データの一覧表の表示を行うことを特徴とするものである。
【００１８】
上記の請求項１〜４記載の構成によれば、取材時に分析用補助データとして重要場面の代表静止画、そのタイムコード値、マーキング情報等が補助データメモリ部に記録されるので、再生時には分析用補助データを参照することによって、シーンの分析時に、すぐに必要なシーンの位置がサーチでき、迅速かつ容易に分析作業が行える。
【００１９】
また請求項５〜９記載の構成によれば、取材時点の分析補助データが記録媒体自体に記録されるので、メモリーカードを使わずに迅速かつ容易に必要なシーンの位置がサーチできる。
【００２０】
【発明の実施の形態】
（実施の形態１）
本発明の実施の形態１におけるビデオカメラ取材システムについて図面を参照しながら説明する。なお、各図面において、同じ構成要素については同じ番号を付し、重複する構成については、簡略のためにその説明を省略する。
【００２１】
一般に、高画質のデジタルコンポーネント記録方式では、色信号と輝度信号を分離してデジタル記録することにより、高画質の映像が得られる。また、映像をデジタル記録するときに、データ圧縮を行うことにより、高品質映像と経済性を実現することができる。本実施の形態においてもこのようなデジタル記録とデータ圧縮が適用されているものとする。
【００２２】
図１は、本発明の基本的なビデオカメラ取材システムの基本構成図である。このビデオカメラ取材システムは、対象物を撮影してその映像音声等の主情報を取り込むためのビデオカメラ部（ＶＣ）と、ビデオカメラ部によって取り込まれた映像情報及び音声情報を記録再生するデータ記録再生部（ＶＴＲ）と、分析用補助データを記録するための補助データメモリ部（ＭＥＭ）と、この補助データメモリ部を制御するためのメモリ制御部（ＭＣＲ）とを有する。
【００２３】
データ記録再生部によってビデオテープに記録された映像情報及び音声情報は、分析用ＶＴＲシステムにおいて分析されるが、この分析で参照される分析用補助データを記憶するために、補助データメモリ部が設けられる。そして、データ記録再生部が映像情報及び音声情報を記録するときに、分析用補助データが補助データメモリ部に書き込まれる。
【００２４】
図２は実施の形態１におけるビデオカメラ取材システム１Ａの構成図であり、図３は、取材分析用ＶＴＲシステム２Ａの構成図である。ビデオカメラ取材システム１Ａとは、ビデオカメラ５Ａを中心として構成される。ビデオテープ３はビデオカメラ５Ａのテープ装着部３ａに装着されて、映像、音声等の主情報が記録される。
【００２５】
後述する分析用補助データを記憶するメモリ手段として、例えば着脱可能なＩＣメモリカード（以下、メモリカードという）４が使用される。メモリカード４はビデオカメラ５Ａのメモリカードスロット６に挿入され、録画時に分析用補助データ等がこのメモリカード４に書き込まれる。
【００２６】
ビデオカメラ５Ａの側面にスイッチ７ａ、７ｂが設けられている。このスイッチ７ａ、７ｂは、ＶＴＲで記録された映像や音声等の主情報が、後での分析に重要な意味を持つと判断された場合、識別用のマーキング情報を入力するために設けられたスイッチ手段である。例えば、スポーツ分析に使用するのであれば、相手のチームの得点場面をマーキングするためにスイッチ７ａの信号を割り付け、自分のチームの得点場面をマーキングするためのスイッチ７ｂの信号を割り付けて使用する。
【００２７】
図３に示す分析用ＶＴＲシステム２Ａは、再生ＶＴＲ８、モニタＴＶ９、システムコントローラ１０、モニタディスプレイ１３を含んで構成される。再生ＶＴＲ８は、取材後のビデオテープ３をテープ装着部８ａに装着して、ビデオテープ３に記録された主情報を再生するものである。再生ＶＴＲ８の再生画像や音声等はモニタＴＶ９で確認される。
【００２８】
再生ＶＴＲ８はシステム制御手段であるシステムコントローラ１０で制御される。モニタディスプレイ１３はシステムコントローラ１０の専用ディスプレイであり、操作者はこのディスプレイ１３の表示内容を確認しながら、システムコントローラ１０を用いて再生ＶＴＲ８を制御する。システムコントローラ１０には、メモリカード４を挿入するためのメモリカード挿入スロット１４が設けられている。ビデオカメラ取材システム１で分析用補助データが書き込まれたメモリカード４を、メモリカード挿入スロット１４に挿入して分析作業を行う。
【００２９】
図４はビデオカメラ５Ａの内部構成を示すブロック図である。本図において第１のＡ／Ｄ変換器２１は、撮影された映像信号をＡ／Ｄ変換する回路である。ビデオ圧縮回路２２はデジタルデータに変換された映像信号をデータ圧縮する回路である。第２のＡ／Ｄ変換器２３は、収音された音声信号をＡ／Ｄ変換する回路である。タイムコード発生器２５は、ビデオテープ３に画像データや音声データを記録された時刻及び記録順序を示すタイムコードを発生する回路である。タイムコードの付加は、テープに番地付けを行うことに相当し、後で行う分析操作でランダムアクセスに用いられる。
【００３０】
選択器２６は、ビデオ圧縮回路２２から出力された画像データ、Ａ／Ｄ変換器２３から出力された音声データ、タイムコード発生器２５から発生されたタイムコードデータを夫々時分割で選択し、エラー訂正コード付加回路２７に与える回路である。エラー訂正コード付加回路２７は上記の各データにエラー訂正コードを付加する回路である。この回路より出力されたデータは、回転ヘッド２８を介してテープ状の記録媒体であるビデオテープ３に記録される。
【００３１】
ビデオカメラ５には、本実施の形態の主要構成要素であるメモリ制御部２０が設けられている。メモリ制御部２０は図４の破線部で示すように、ビデオキャプチャ２０１、タイムコードキャプチャ２０２、マイクロコンピュータ２０３、メモリカード４を挿入するメモリカードスロット６を含んで構成される。そして、ビデオキャプチャ２０１、タイムコードキャプチャ２０２、スイッチ７ａ，７ｂから出力された信号はマイクロコンピュータ２０３に入力される。
【００３２】
メモリカード４は分析用補助データの記憶媒体として使用される。メモリカード４がスロット６に装着された状態でビデオカメラ５Ａを操作すると、必要に応じて分析用補助データの書き込みが行われる。ビデオキャプチャ２０１は、ビデオ圧縮回路２２から出力される画像データを静止画として取り込む。タイムコードキャプチャ２０２はタイムコード発生器２５からのタイムコードを取り込む。
【００３３】
ビデオキャプチャ２０１とタイムコードキャプチャ２０２がデータを取り込むタイミングは、操作者がスイッチ７ａ又は７ｂを操作したときである。スイッチ７ａ又は７ｂの操作は、画像データ及びタイムコードデータの取り込みタイミングを決めると同時に、どの番号のスイッチを押したかという操作がマーキング情報として取り込まれる。
【００３４】
以上の動作により、メモリカード４には、例えば図５に示すようなフォーマットで分析用補助データが書き込まれる。図５のシーン番号とは、重要なシーンであると判断したとき（例えば、どちらかのチームが得点したとき）、スイッチ７ａ又は７ｂを押す度にインクリメントする番号である。このシーン番号に対応して静止画データ、タイムコード値、スイッチ７ａ／７ｂの区別等の情報が夫々割り当てられて記録される。
【００３５】
メモリカード４に記録される静止画データは、図４のビデオキャプチャ２０１で取り込んだものである。またこのメモリカードに記録されたタイムコード値は、タイムコードキャプチャ２０２で取り込んだものである。このようなマーキングデータはスイッチ７ａ，７ｂの操作により、補助データメモリ制御手段であるマイクロコンピュータ２０３を介してメモリカード４に書き込まれる。またマーキングデータはビデオキャプチャ２０１及びタイムコードキャプチャ２０２がデータを取り込むためのトリガ信号としても利用される。
【００３６】
メモリカード４には、図５に示すようなフォーマットのデータの他に、映像を記録したときの日付、録画タイトルなども記録することができる。またメモリカード４として、Ｓ−ＲＡＭカードやＡＴＡフラッシュメモリーカードなどが使用可能である。
【００３７】
次に、本実施の形態の分析用ＶＴＲシステムとして、メモリカード４を用いて録画テープを解析するための動作について、図５と図６を参照しながら説明する。図６は本実施の形態の分析用ＶＴＲシステム２Ａの構成を、図３より具体的に記載したブロック図である。
【００３８】
システム制御手段であるシステムコントローラ１０にはメモリカード制御装置６０が設けられ、信号線Ｓｃ、Ｓｅを介して再生ＶＴＲ８と結合されている。またシステムコントローラ１０では、メモリカード挿入スロット１４に挿入されたメモリカード４により、分析用補助データが読み取られる。システムコントローラ１０に対する操作者の指示は、モニタディスプレイ１３を見ながらマウス１８によって行われる。
【００３９】
図２のビデオカメラ取材システム１Ａによって記録した取材済のビデオテープ３は、再生ＶＴＲ８のビデオテープ装着部８ａに装着する。また、分析用補助データが記録されたメモリーカード４は、システムコントローラー１０のメモリーカード挿入スロット１４に挿入する。
【００４０】
操作者は、まずメモリカード４に書き込まれた分析用補助データの読み取りをシステムコントローラ１０に指示する。システムコントローラ１０はメモリカード４の中に書き込まれた図５のフォーマットのデータを読み取る。そして各シーン番号ごとの静止画データ、タイムコード値、マーキングデータのうち、少なくとも１つをモニタディスプレイ１３の夫々の表示ブロックに表示する。図７はモニタディスプレイ１３に集合配列された表示ブロックの表示内容である。
【００４１】
図６に示す信号線Ｓｃは再生用ＶＴＲ８を制御する信号線である。また信号線Ｓｅは、後述するようにメモリカード４を使用せずに、分析用補助データをビデオテープ自体に記録する場合のために設けられものである。この信号線Ｓｅを介して、システムコントローラ１０は再生用ＶＴＲ８から分析用補助データを読み取ることができる。
【００４２】
図８はメモリカード制御装置６０とその周辺回路ブロックを示すブロック図である。このメモリカード制御装置６０は、メモリカード４に書き込まれた分析用補助データをモニタディスプレイ１３の画面上で確認しながら、再生ＶＴＲ８を制御して分析動作を行うものである。
【００４３】
このメモリーカード制御装置６０において、バスライン６６を介して並列接続されたＲＯＭ６２、データ書き込み用ＲＡＭ６３、ＣＰＵ（マイコン）６４が夫々接続される。メモリカード挿入スロット１４には、メモリカード４が繰り返し着脱できるコネクタが設けられている。ＲＯＭ６２には前もって所定のプログラムが書き込まれており、このプログラムにより再生ＶＴＲ８の制御動作が行われる。なお、バスライン６６にはモニタディスプレイ１３やマウス１８等のためのＩ／Ｏデバイスや、再生ＶＴＲ８を制御するためのＩ／Ｏデバイスなどが接続されている。
【００４４】
図７に示すように、シーンごとの静止画と、タイムコード値とマーキングデータ等の分析用補助データを、一つの表示ブロックに表示し、この表示ブロックを多数配列して一枚の表示画面にする。こうすると、一度の表示で多くのシーンを確認することができ、ビデオテープに記録された内容が、長時間に渡って一度の表示で把握できる。
【００４５】
操作者はこのディスプレイ１３の表示画面を見て、図６のマウス１８等を用いて所望のシーンの再生等の動作をシステムコントローラ１０に指示する。システムコントローラ１０は再生ＶＴＲ８を制御し、指定されたシーン番号の場面を再生する。
【００４６】
図９は、モニタディスプレイ１３の表示画面での操作工程の一例を示す説明図である。システムコントローラ１０によってメモリカード４から分析用補助データが読み出されるが、画面下の表示モード切換部７４を操作することにより、撮影のときスイッチ７ａを押された場面のデータのみをモニタディスプレイ１３に表示させることができる。実際の分析作業では、例えば撮影のときに、スイッチ７ａは相手のチームが得点したときに押すとし、スイッチ７ｂは自分のチームが得点したときに押すと決めておく。こうするとシステムコントローラ１０の表示モード切換部７４を操作してスイッチ７ａを選択すると、相手チームの得点のシーンだけを抜き出して見ることができる。
【００４７】
図９において、再生用ＶＴＲ８の操作に関しては、ＶＴＲリモコン操作部７１中の該当するマークのところにマウスカーソル７２を合わせ、マウス１８の操作ボタンをクリックすると、ビデオテープの早送り、巻き戻し、正逆可変スピード再生などのリモートコントロールができる。画面右側のスクロール部７３は、上スクロール７３ａ及び上スクロール７３ｂ並びにスクロールバー７３ｃからなり、シーン数が多すぎてモニタディスプレイ１３の一画面に収まらないとき、該当するスクロール部７３にマウスカーソルを合わせてドラッグすることにより、素早く表示画面を移動させ、所望のシーンを表示することができる。
【００４８】
図９に示す表示例では、自分のチームの得点場面は捨て、相手チームの得点場面のみ表示しているので、サーチ範囲をすでに絞りこんでいることになり、分析作業効率がかなり向上する。次に、マウスカーソル７２を必要なシーンの静止画の部分に合わせてマウスのスイッチをクリックすると、システムコントローラ１０はその静止画の場面のタイムコード値を読み取る。そして再生ＶＴＲ８の現在のタイムコード値と比較し、ビデオテープを前進（早送り）又は後退（巻き戻し）させるべきかを判断する。次に信号線Ｓｃを介して再生ＶＴＲ８に制御信号を出力して、所望のシーンの場所をサーチする。
【００４９】
バスケットボールなどの試合の場合、得点シーンの数１０秒前から再生すると、その得点に関して重要な役割を果たしている選手の動きが分析できる。このため数１０秒前から再生するようにシステムコントローラ１０に予め指示を与えておくと、操作者はマウス１８を操作してマウスカーソル７２を所望の静止画に合わせてクリックするだけで、迅速にテープの分析ができる。
【００５０】
以上のように、本実施の形態によれば、分析用の補助データとして、シーンの静止画タイムコード値、フラグ情報等が撮影時にメモリカード４に記録される。その記録データを参照することによって、分析時に最初から最後までビデオテープを再生しなくても、すぐに必要な場面の位置がサーチでき、迅速かつ容易に分析作業が行える。
【００５１】
（実施の形態２）
前述した実施の形態１では、ビデオカメラ内部に着脱可能なメモリカード４を挿入して使用し、そのメモリカード４の中に分析用補助データを記録する方式を採ったが、この場合、ビデオテープ３とメモリカード４とを必ず一組として対応するように管理しなければならない。
【００５２】
そこで、本発明の実施の形態２では、ＩＣメモリカード（メモリカード４）を使用せずに、ビデオテープ３だけで記録データの管理を行い、容易に記録テープの分析作業ができるビデオカメラ取材システム及び取材分析用ＶＴＲシステムを提供する。図１０は本実施の形態のビデオカメラ取材システム１Ｂの基本構成図である。図１１は分析用ＶＴＲシステム２Ｂの基本構成図である。またビデオカメラ５Ｂの回路構成を図１２に示す。
【００５３】
実施の形態１との基本構成上の相違点は、本実施の形態は分析用補助データを記録するメモリ手段として、ＩＣメモリカードは使用せずに、一時記憶メモリを介してビデオテープ３自体に記録することである。その他の構成については実施の形態１と同じであるので、それらの説明は省略する。
【００５４】
図１２に示すように、メモリ機構２０に一時記憶メモリ９４を設け、マイクロコンピュータ２０３に接続する。なお、このメモリはマイクロコンピュータ２０３に内蔵されたものを用いてもよい。この一時記憶メモリ９４に各シーンごとの静止画、タイムコード値、フラグデータ等の分析用補助データを一時記録する。この分析用補助データは、実施の形態１のときと同様に、図５に示すフォーマットで一時的に記録される。一時記憶メモリ９４に書き込まれた分析用補助データは、ビデオテープ３をビデオカメラ５Ｂから取り出す前に読み出され、ビデオテープ３に記録される。
【００５５】
撮影終了時に、マイクロコンピュータ２０３は、今まで一時記憶メモリ９４に一時的に記憶していたデータを読み出し、分析用補助データＤｅとして出力し、選択器２６に出力し、エラー訂正コード付加回路２７、回転ヘッド２８を介してビデオテープ３に記録する。この分析用補助データＤｅは今まで一時記憶メモリ９４に蓄えらえていたデータであるから、シーンごとの静止画とタイムコード値とフラグデータがそのままビデオテープ３にコピーされる。その他の構成、動作については実施の形態１と同じであるので、重複する部分の説明は省略する。
【００５６】
次に、ビデオテープ３の映像を分析するときの動作を、実施の形態１の場合と同様に図１１を用いて説明する。撮影済のビデオテープ３には前述した分析用補助データが記録されているので、まず再生ＶＴＲ８は、その分析用補助データの読み取りを行う。この読み取り動作は、再生ＶＴＲ８にビデオテープ３を挿入すると自動的に開始し、読み取られた分析用補助データは信号線Ｓｅを介してシステムコントローラ１０に出力される。システムコントローラ１０は再生ＶＴＲ８より出力された分析用補助データを基に、シーンごとの静止画データ、タイムコード値、フラグデータのうち少なくとも１つを組み合わせ、図７に示すような画面を表示する。
【００５７】
以下、図１１に示すようなテープ分析システムの動作については、ＩＣメモリーカードを使用せずに、分析用補助データをビデオテープ３に記録したこと以外は、実施の形態１と共通であるので、重複する部分の説明は省略する。
【００５８】
図１３は、本実施の形態におけるビデオテープ３のデータの記録フォーマットの一例を示す説明図である。本図において、ビデオテープ３の各記録トラックの下側から順に、インサートアンドトラックインフォメーション（ＩＴＩと略記）記録エリアＡ１、オーディオエリアＡ２、ビデオエリアＡ３、サブコードエリアＡ４が割り当てられている。本実施の形態では、上記エリアのうち、サブコードエリアＡ４に分析用補助データを記録する。このサブコードエリアＡ４だけに注目して、そこに書き込まれたデータの記録フォーマットの一例を図１４に示す。
【００５９】
図１４に示すように、サブコードエリアの１トラックにはシンクコードが１バイト、ＩＤが３バイト、サブコードが５バイト、パリティーが２バイトの合計１１バイトを１つの単位（シンクブロック）として、１２個のシンクブロックが１つのトラックに配列されている。各シンクブロックの中で自由に情報が書き込めるのは、サブコード（５バイト）の領域であることが、ＤＶＣＰＲＯフォーマットで決められている。このサブコード（５バイト）を使って分析用データが書き込む方法を以下に説明する。
【００６０】
サブコードデータ（５バイト）に注目して、そのデータフォーマットを図１５に示す。図示のようにサブコードの５バイトはヘッダ、ブロック番号、データの３つの領域より構成される。ヘッダはＥ９Ｈに固定され、ブロック番号は０から２５５までの番号が付され、データ領域には３バイト分が割り当てられる。ブロックＮｏ．＝０にはセクタ管理のための特別の意味を持たせる。図１６に示すように３バイトデータのうち、１バイトを１セクタあたりのバイト数、残り２バイトをセクタＮｏ．と決めている。ここで、１セクタあたりのバイト数のところは、数値が１のときは６４バイト／セクタ、２のときは１２８バイト／セクタ、３のときは２５６バイト／セクタ、４のときは５１２バイト／セクタと決めて運用する。
【００６１】
このように設定することにより、図１７に示すように多くの情報を管理することが可能になる。図１７では１セクタあたりのバイト数を決める数値が４なので、５１２バイト／セクタの場合のデータ並びを示している。図１７の場合、１セクタあたりのバイト数は５１２バイトであるから、例えばセクタＮｏ＝０のデータはブロックＮｏ＝１からブロックＮｏ＝１７１までを使用し、（ブロックＮｏ＝１７１の第３番目のデータはダミーデータ）ブロックＮｏ＝１７２にはＣＲＣエラーチェックコードを３バイト付加している。同様にセクタＮｏ．＝１、セクタＮｏ＝２  ・・・と２バイトで表される最大のセクタ数（６５５３５）までを並べて図示すると、総データ数は、５１２バイト／セクタ＊６５５３６セクタ、すなわち３３５５４４３２バイトのデータが記録できることになる。
【００６２】
次に、分析用補助データをどのように図１７に示すセクタに割りつけるかを説明する。分析用補助データの１シーン分に相当するデータは下記の通りである。即ち
静止画は、９０＊６０画素の輝度信号；５４００バイト、
９０＊６０画素の色信号；５４００バイト、
タイムコード値；時、分、秒、フレームの４バイト、
フラグデータ；１バイト
この１０８０５バイトのデータを割り付けた状態を図１８に示す。
【００６３】
図１８において、タイムコード、フラグデータを１セクタに割りつけ、静止画輝度信号と静止画色信号はそれぞれ１１セクタずつ割り付ける。ところで、割りつけた３つの領域はすべて完全に有効なデータで埋まる訳ではないので、この余った領域にはダミーのデータを書き込み、セクタ全体が埋まるようにしている。このように２３セクタで一つのシーンの情報が記録できる。
【００６４】
以上のように、本実施の形態によれば、撮影時点の分析用データがビデオテープ自体に記録されるので、メモリカードを使わずに、迅速かつ容易に必要な場面のサーチができ、分析作業上きわめて実用効果の高い取材用ＶＴＲ分析システムが実現できる。また、本実施の形態では、ビデオ画像の記録再生装置としてＶＴＲを用いて説明したが、光磁気ディスクや半導体メモリ等をビデオ画像記録媒体として用いることも可能である。
【００６５】
【発明の効果】
以上のように本発明によれば、撮影時に分析のためのデータが補助データメモリ部に記録できる。そして分析時に、その分析用補助データを表示することにより、最初から最後まで記録媒体を一旦再生しなくても、すぐに必要な場面の位置がサーチでき、迅速かつ容易に分析作業ができる。このようにきわめて実用効果の高いビデオカメラ取材システムと分析用ＶＴＲシステムが得られる。
【図面の簡単な説明】
【図１】本発明の実施の形態１におけるビデオカメラ取材システムの基本構成図である。
【図２】実施の形態１におけるビデオカメラの構成図である。
【図３】実施の形態１における分析用ＶＴＲシステムの構成図である。
【図４】実施の形態１におけるビデオカメラの構成を示すブロック図である。
【図５】実施の形態１、２における分析用補助データのフォーマット図である。
【図６】実施の形態１における分析用ＶＴＲシステムの詳細を示す構成図である。
【図７】実施の形態１、２における分析用補助データの表示例（その１）である。
【図８】実施の形態１におけるメモリーカード制御部の構成図である。
【図９】実施の形態１、２における分析用補助データの表示例（その２）である。
【図１０】本発明の実施の形態２におけるビデオカメラ取材システムの基本構成図である。
【図１１】実施の形態２における分析用ＶＴＲシステムの構成図である。
【図１２】実施の形態２におけるビデオカメラの構成を示すブロック図である。
【図１３】実施の形態２におけるビデオテープのデータ記録フォーマット図である。
【図１４】実施の形態２におけるビデオテープのサブコードエリアの記録フォーマット図である。
【図１５】実施の形態２におけるシンクブロックの詳細説明図（その１）である。
【図１６】実施の形態２におけるシンクブロックの詳細説明図（その２）である。
【図１７】実施の形態２において、多数のセクタを連結した場合のテータ記録のフォーマット図である。
【図１８】実施の形態２において、１カットのシーンのデータの割り付け説明図である。
【符号の説明】
１Ａ，Ｂ  ビデオカメラ取材システム
２Ａ，２Ｂ  分析用ＶＴＲシステム
３  ビデオテープ
３ａ  カセットテープ装着部
４  メモリカード
５  ビデオカメラ
６，１４  メモリカードスロット
７ａ，７ｂ  スイッチ
８  再生用ＶＴＲ
８ａ  カセットテープ挿入口
９  モニタＴＶ
１０  システムコントローラ
１３  モニタディスプレイ
１４  メモリカードソケット
１８  マウス
２０  メモリ機構
２１，２３  Ａ／Ｄ変換器
２２  ビデオ圧縮回路
２５  タイムコード発生器
２６  選択器
２７  エラー訂正コード付加回路
２８  回転ヘッド
６０  メモリーカード制御装置
６２  ＲＯＭ
６３  ＲＡＭ
６４  ＣＰＵ
６５  Ｉ／Ｏ
６６  マイコンバス
７１  ＶＴＲリモコン
７２  マウスカーソル
７３  スクロール部
７３ａ  上スクロール
７３ｂ  上スクロール
７３ｃ  スクロールバー
７４  表示モード切換部
９４  一時記憶メモリ
２０１  ビデオキャプチャ
２０２  タイムコードキャプチャ
２０３  マイクロコンピュータ
【図１】
0003736955.tif 000002
【図２】
0003736955.tif 000003
【図３】
0003736955.tif 000004
【図４】
0003736955.tif 000005
【図５】
0003736955.tif 000006
【図６】
0003736955.tif 000007
【図７】
0003736955.tif 000008
【図８】
0003736955.tif 000009
【図９】
0003736955.tif 000010
【図１０】
0003736955.tif 000011
【図１１】
0003736955.tif 000012
【図１２】
0003736955.tif 000013
【図１３】
0003736955.tif 000014
【図１４】
0003736955.tif 000015
【図１５】
0003736955.tif 000016
【図１６】
0003736955.tif 000017
【図１７】
0003736955.tif 000018
【図１８】
0003736955.tif 000019